(57)【特許請求の範囲】
【請求項１】
ライスキャビンの底面中央部から周壁がわに向けてスイープオーガを横設し、自転と中央部がわを軸とする公転により中央部がわに穀粒を移送して、底面に開口する落下口から穀粒を取出すライスキャビンの穀粒取出装置において、ライスキャビンの底部周壁（３）の内周面にそった環状の送風管（４）を配置し、穀粒を乾燥させる圧風ファン（７）と別に送風ファン（９）を設け、該送風ファン（９）を内蔵したファンケース（１０）の排風側と多数の噴風口（５）を穿設した前記送風管（４）を連通させ、底面（１）上をキャビン中央部に向けて噴風する構成にし、スイープオーガ（６）と前記送風ファン（９）を併用して穀粒を移送させたことを特徴とするライスキャビンの穀粒取出装置。
【発明の詳細な説明】
【０００１】
【産業上の利用分野】
本発明は、ライスキャビン内の乾燥後の穀粒を取出すところの穀粒取出装置に関するものである。
【０００２】
【従来の技術】
従来、ライスキャビン内の穀粒の取出装置としては、「図４」に示してあるように、ライスキャビン底部の中央部から周壁（３）がわに向けてスイ−プオ−ガ（６）を横設し、その自転と中央部がわを軸とする公転により中央部がわに穀粒を移送して底面（１）に開口する落下口（２）から取出すようにしているが、同様の構成にして輸送物を搬送するものが特開平０６−１８３５４０号公報に開示され、このスイ−プオ−ガ（６）によればライスキャビンの内周壁にそって穀粒が積み上げられた状態で残留するとともに、底面（１）上にも一定層のものが残留するようになり終局的には手作業によらざるを得ないのが実状である。また、貯留タンクの水平床面に多数の移送噴気口を設けた送風胴を複数設置し、排出路に向けて穀粒を噴送する実施例が実開昭５８−１２４８号公報に記載されている。
【０００３】
【発明が解決しようとする課題】
本発明は、このように従来の手段によるライスキャビン内の穀粒の取出しにおいては内周壁にそって残留したり底面上にも一定層のものが残留するようになるから、手作業によらなくても完全取出しを可能にする穀粒取出装置を提供するために創作されたものである。
【０００４】
【課題を解決するための手段】
そこで、この発明は穀粒の完全取出しを可能なものにするために、底面に開口する落下口から乾燥後の穀粒を取出すライスキャビンの穀粒取出装置であって、ライスキャビンの底部周壁の内周面にそって環状の送風管を配置し、穀粒を乾燥させる圧風ファンと別に送風ファンを設け、多数の噴風口を穿設した前記送風管を連通させ、底面上をキャビン中央部に向けて噴風する構成にしたのである。また、このように構成したものに従来のライスキャビン底部の中央部から周壁がわに向けて横設し、自転と中央部がわを軸とする公転により中央部がわに穀粒を移送するスイ−プオ−ガを併用するとよいのである。
【０００５】
【作用】
このように構成したので、ライスキャビン内に貯留された乾燥後の穀粒は底面に開口する落下口から自然落下により取出されて底面上から周壁の内側にそって山積みされた状態で残留するようになるが、このとき、ライスキャビン底部の周壁内周面にそわせた環状の送風管の噴風口から中央部に向けて噴射させると、その噴風によって山積みされた状態で残留する穀粒は中央部がわに吹送されるとともに、底面上に残留するものも吹送されて落下口から取出されるのである。また、スイ−プオ−ガを併用させると、このものの自転と公転による機械的な中央部がわへの移送によって送風管から噴射する噴風の吹送作用を助長して効率のよい取出しが行われるのである。
【０００６】
【実施例】
以下、この発明による穀粒取出装置について実施例図により説明すると、このライスキャビンは「従来の技術」の項で示してある「図４」に記載したもののように、大型の円筒体の上部に屋根を設けて圧風ファン（７）により起風される自然風を底面（１）に開口する無数の噴口から噴出させるとともに上部から数本のダウンオ−ガ（８）が垂下されて、貯留された穀粒を攪拌して自然乾燥し、その乾燥後のものが底面（１）の中央部と中央部から周壁（３）までの途中に開口する落下口（２）（２）から落下して取出されるようになっている。
【０００７】
そして、このライスキャビンには「図１」と「図２」に示してあるように、穀粒を乾燥させる圧風ファン（７）と別に送風ファン（９）を設け、該送風ファン（９）を内蔵するファンケ−ス（１０）の吐風側に連通連結した環状の送風管（４）を底部周壁（３）の内周面にそわせて配置し、その送風管（４）には底面（１）上をキャビン中央部に向けて噴射する噴風口（５）を多数穿設したものにしてある。
【０００８】
これにより、ライスキャビン内に貯留された乾燥後の穀粒を底面（１）に開口する落下口（２）（２）から取出すとき、穀粒が落下口（２）（２）に自然落下して取出され底面（１）上から周壁（３）の内側にそって山積みされた状態で残留するようになるが、このとき、送風ファン（９）により起風されて送風管（４）内に送り込まれた風は多数の噴風口（５）からライスキャビンの底面（１）上を中央部に向けて矢印（イ）のように噴射する噴風によって中央部がわに吹送されるとともに、底面（１）上に残留するものも吹送されて落下口（２）（２）から取出されるようになる。
【０００９】
また、「図３」に示したものは、従来公知のスイ−プオ−ガ（６）を横設して、このスイ−プオ−ガ（６）の自転と中央部がわを軸とする公転とによって穀粒を中央部がわに移送し落下口（２）（２）から機械的に取出す手段を併用したものであって、穀粒取出しの際に底面（１）上から周壁（３）の内側にそって山積みされた状態で残留するものが（ロ）方向に自転しながら（ハ）の方向に公転するスイ−プオ−ガ（６）の中央部がわへの移送によって前記送風管（４）から噴射する噴風の吹送作用を助長して穀粒の取出しが一層効率のよいものになる。
【００１０】
なお、例図に示す送風管（４）は、送風ファン（９）を内蔵するファンケ−ス（１０）の吐風側に連通連結して噴風口（５）から噴射させるようにしたが、コンプレッサ−に接続して噴射させる構成にしてもよいのである。
【００１１】
【発明の効果】
本発明による穀粒取出装置は以上説明したように、底面（１）に開口する落下口（２）から乾燥後の穀粒を取出すライスキャビンの穀粒取出装置であって、ライスキャビンの底部周壁（３）の内周面にそって環状の送風管（４）を配置し、穀粒を乾燥させる圧風ファン（７）と別に送風ファン（９）を設け、多数の噴風口（５）を穿設した前記送風管（４）を連通させ、底面上をキャビン中央部に向けて噴風する構成にしたことを特徴とする構成にしたから、ライスキャビン内に貯留された乾燥後の穀粒は底面（１）に開口する落下口（２）から自然落下により取出されて底面（１）上から周壁（３）の内側にそって山積みされた状態で残留するようになるが、このとき、ライスキャビン底部の周壁（３）内周面にそわせた環状の送風管（４）の噴風口（５）から中央部に向けて噴射する噴風によって山積みされた状態で残留する穀粒は中央部がわに吹送されるとともに、底面（１）上に残留するものも吹送されて落下口（２）から取出されるので、穀粒が残留せず完全取出しが可能になったのである。
【図面の簡単な説明】
【図１】  ライスキャビンの要部を示してある側面図である。
【図２】  同要部の平面図である。
【図３】  他の実施例のものを示す平面図である。
【図４】  従来のライスキャビンの側面図である。
【符号の説明】
１ 底面
２ 落下口
３ 周壁
４ 送風管
５ 噴風口
６ スイ−プオ−ガ
【図１】
0003705631.tif 000002
【図２】
0003705631.tif 000003
【図３】
0003705631.tif 000004
【図４】
0003705631.tif 000005